(57)【特許請求の範囲】
【請求項１】
海水の比重に近い合成樹脂を使い、左右一対で形成された釣用連結具の片側には、釣糸を挿通する雄接続孔６と、該雄接続孔６に挿通した釣糸を係留する雄接続部４と、該雄接続部４に係留した釣糸を雄外側先端部１８に導く雄接続溝１２と、該雄外側先端部１８の反対側の端部に位置し遊嵌連結部の片側となる頭部９と、該頭部９の前記雄外側先端部１８向きの面で球体に接する雄受面部１３と、該雄受面部１３から円形の四分の一の形状で球体１１の動きを規制する雄球止部３７と、該雄球止部３７と釣糸係留部分１とを繋げる首部７とを具備する雄具２と、該雄具２の前記首部７が回転できる間隔を持たせた通し孔８と、該通し孔８からホールボトム４４側とホールサイド４５側の二方向に広がり前記頭部９を包囲状で回転が行える間隔を持たせて形成されたホール１０と、該ホール１０の内壁の一部で円形の四分の一の形状で前記球体１１の動きを規制する雌球止部３８と、該雌球止部３８を形成すると同時に前記ホール１０から前記頭部９が外れないよう保持し遊嵌連結部の片側となる保持部５と、該保持部５の雌外側先端部１９向きの面で前記球体１１に接する雌受面部２３と、該雌受面部２３や前記ホール１０などを大きく包む形で存在する膨張部２０と、釣糸を挿通する雌接続孔２２と、該雌接続孔２２に挿通した釣糸を係留する雌接続部２１と、該雌接続部２１に係留した釣糸を前記雌外側先端部１９に導く雌接続溝２８とを具備する雌具３とによって、前記ホール１０に前記頭部９を収め、前記雄受面部１３と前記雌受面部２３との間に前記球体１１が嵌る形で介在すると同時に、前記ホール１０から前記頭部９が外れないように前記保持部５で保持を行い、設定された遊び幅で遊嵌連結をしているが、雄外側先端部方向に前記雄具２が、雌外側先端部方向に前記雌具３が引かれる事により、前記雄球止部３７の円形の四分の一の形で作られた円勾配による登坂反発力によって、前記球体１１を前記雄受面部１３側に押し戻し、前記雌球止部３８の円形の四分の一の形で作られた円勾配による登坂反発力によって、前記球体１１を前記雌受面部２３側に押し戻す相乗効果で、前記球体１１が雄雌両受面部で作られた空間の中央部分に押し戻され、前記雄具２と前記雌具３が独立状態でありながらお互いの軸線を一とする効果により、回転ぶれの少ない遊嵌連結することで効率的な釣糸の撚り戻し効果を発揮する事を特徴とする構造の釣用連結具。
【請求項２】
海水の比重に近い合成樹脂を使い、左右一対で形成された釣用連結具の片側には、釣糸を挿通する雄接続孔６と、該雄接続孔６に挿通した釣糸を係留する雄接続部４と、該雄接続部４に係留した釣糸を雄外側先端部１８に導く雄接続溝１２と、該雄外側先端部１８の反対側の端部に位置し遊嵌連結部の片側となる頭部９と、該頭部９の前記雄外側先端部１８向きの面で球体に接する雄受面部１３と、該雄受面部１３から円形の四分の一の形状で球体１１の動きを規制する雄球止部３７と、該雄球止部３７と釣糸係留部分１とを繋げる
首部７とを具備する雄具２と、該雄具２の前記首部７が回転できる間隔を持たせた通し孔８と、該通し孔８からホールボトム４４側とホールサイド４５側の二方向に広がり前記頭部９を包囲状で回転が行える間隔を持たせて形成されたホール１０と、該ホール１０の内壁の一部で円形の四分の一の形状で前記球体１１の動きを規制する雌球止部３８と、該雌球止部３８を形成すると同時に前記ホール１０から前記頭部９が外れないよう保持し遊嵌連結部の片側となる保持部５と、該保持部５の雌外側先端部１９向きの面で前記球体１１に接する雌受面部２３と、該雌受面部２３や前記ホール１０などを大きく包む形で存在する膨張部２０と、釣糸を挿通する雌接続孔２２と、該雌接続孔２２に挿通した釣糸を係留する雌接続部２１と、該雌接続部２１に係留した釣糸を前記雌外側先端部１９に導く雌接続溝２８とを具備する雌具３とによって、前記ホール１０に前記頭部９を収め、前記雄受面部１３と前記雌受面部２３との間に前記球体１１が嵌る形で介在すると同時に、前記ホール１０から前記頭部９が外れないように前記保持部５で保持を行い、設定された遊び幅で遊嵌連結をしているが、雄外側先端部方向に前記雄具２が、雌外側先端部方向に前記雌具３が引かれる事により、前記雄球止部３７の円形の四分の一の形で作られた円勾配による登坂反発力によって、前記球体１１を前記雄受面部１３側に押し戻し、前記雌球止部３８の円形の四分の一の形で作られた円勾配による登坂反発力によって、前記球体１１を前記雌受面部２３側に押し戻す相乗効果で、前記球体１１が雄雌両受面部で作られた空間の中央部分に押し戻され、前記雄具２と前記雌具３が独立状態でありながらお互いの軸線を一とする効果により、回転ぶれの少ない遊嵌連結することで効率的な釣糸の撚り戻し効果を発揮する事を特徴とする構造の遊嵌連結を行った部分に、雄受面部１３と雌受面部２３と雌球止部３８並びにホールサイド４５に対する球体１１の接点を阻害しない形状のリテーナー２４を装着することで、前記球体１１同士の干渉を回避し、回転促進が行える構造を持つ釣用連結具。
【請求項３】
雄具２の外周に雄案内溝２９を設けると共に、雄接続溝１２と雄案内溝２９を繋ぐ部分の角を取って円形の四分の一の形状とした雄フック部３１を設け、雌具３の外周に雌案内溝３０を設けると共に、雌接続溝２８と雌案内溝３０を繋ぐ部分の角を取って円形の四分の一の形状とした雌フック部３２を設けて、釣糸に巻結びを施した結縛輪４４を雄案内溝２９又は雌案内溝３０に入れて雄フック部３１又は雌フック部３２まで運び、雄外側先端部１８又は雌外側先端部１９側に引き締めれば、接続孔に挿通せずとも接続部に釣糸を結縛できる構造を持つ請求項１又は請求項２に記載の釣用連結具。
【発明の詳細な説明】
【技術分野】
【０００１】
本発明は釣糸の撚り戻し効果を持つ釣用連結具に関する
【背景技術】
【０００２】
一般的に魚釣りで使う道糸の特徴とすれば、着色する事で状態を伝える糸であったり、海面に漂ったり逆に沈む糸であったり、視認性や比重の特長を利用し仕掛けをポイントに送り込んで行く為の特性や、硬くして強度や感度の良さを特徴に持つ道糸と、魚に対して視認性の悪い透明度を考慮したり、くわえた時に違和感を与えない柔らかさであったりと言った、魚に針の付いた餌をいかに口にさせるかにウェイトを置くハリスとをじかに結束使用する場合、互いの特性の相違によって連結が難しく、結束強度に乏しくなる場合も多いことから、簡単で十分な強度が得られる釣用連結具の利用が多く、現在の釣用連結具と
いうとスイベルやサルカンに代表される様な金属製品が使われており、撚り戻しの効果を特徴として知られているが、釣糸に海水の抵抗がかかった状態では、撚り戻し効果が十分発揮できず、仕掛けが手元に来て竿を立てた時に、空中に浮いた釣針が空転する事で撚りを実感するが、それまでに巻き取った釣糸に掛かっていた撚りはスプールに巻き取られた事となり、仕掛けの投入や巻き取りを繰り返すことで少しずつ撚りを蓄える結果となるものであった。又、比重が重たい事で釣糸より早く沈み、比重の軽い道糸とハリスが上層に残り、Ｖ字状になって当りをウキに伝えられないこともある事から、使用する釣糸より太目の釣糸を用いた糸環の連結具を使用することも周知の事実であるが、釣糸自体で連結具を作ることで釣糸と同一の比重となり釣糸の動きに同調できるものの、繰り返して使用する場合には耐久性に問題が残るし、釣糸を付け替える場合に同じ釣糸だけに間違って糸環の連結具を切断してしまう不便なところもあったし、撚り戻し効果を考慮されてないものであった。又、視認性の分野でも従来品は全体的に黒っぽい色や透明な製品が多かったが、ハリスに直結していて魚信に対して敏感に反応できる位置なので、着色して視認性を与えれば有効活用が出来そうな部分であった。
【０００３】
従来の釣用連結具の中で、上記問題点を解決して行く為に下記記載の先行技術がある。
【特許文献１】特開２００３−１２５６８３号公報
【特許文献２】特開２００５−１９２５０７号公報
【特許文献３】特開２００２−３４５３７９号公報
【０００４】
上記特許文献１の様にチタン製線材で軽量に作られした物も知られている。
【０００５】
上記特許文献２の様に合成樹脂で軽量に作られ、潮受け効果と視認性を考慮して作られた物も知られている。
【０００６】
上記特許文献３の様に転動体を使用して撚り戻し効果を考えて作られた物も知られている。
【発明の開示】
【発明が解決しようとする課題】
【０００７】
以前の問題は前記特許文献１のように、従来のサルカンなどの材料であるステンレス比重約７、８程度を使用していたが、線材の比重自体をチタン製線材の比重４，６程度とすることよって約４１％軽量化されたものや、前記特許文献２のように、合成樹脂で比重を１〜２と軽くし、潮受けに対する形状や着色による視認性を考慮したものや、前記特許文献３のように、撚りを戻す効果に注目したものもあったが、前記特許文献１や前記特許文献２の場合には撚り戻し効果は配慮されていないし、前記特許文献３は強固に作ることで重たくて軽量仕掛けには適さないし、一般に普及しているスイベルやサルカンなどの場合には、たる型の筒形状に結束させる輪の足部分を屈曲して収めて係留していることで、釣糸の巻き取り時には海水の抵抗により殆ど撚り戻し効果が出せないし視認性の面では水中に入った状態では確認不能であった。本発明では視認性に優れ、軽量で潮馴染みが良く、違和感を与えない小ささと、それでいて十分な強度を有し、潮受けが良い形状で、撚り戻し効果の高い回転促進構造といった総合的な機能が発揮できることを課題とする。
【課題を解決するための手段】
【０００８】
海水の比重に近い合成樹脂を使い、左右一対で形成された釣用連結具の片側には、釣糸を挿通する雄接続孔６と、該雄接続孔６に挿通した釣糸を係留する雄接続部４と、該雄接続部４に係留した釣糸を雄外側先端部１８に導く雄接続溝１２と、該雄外側先端部１８の反対側の端部に位置し遊嵌連結部の片側となる頭部９と、該頭部９の前記雄外側先端部１８向きの面で球体に接する雄受面部１３と、該雄受面部１３から円形の四分の一の形状で球体１１の動きを規制する雄球止部３７と、該雄球止部３７と釣糸係留部分１とを繋げる
首部７とを具備する雄具２と、該雄具２の前記首部７が回転できる間隔を持たせた通し孔８と、該通し孔８からホールボトム４４側とホールサイド４５側の二方向に広がり前記頭部９を包囲状で回転が行える間隔を持たせて形成されたホール１０と、該ホール１０の内壁の一部で円形の四分の一の形状で前記球体１１の動きを規制する雌球止部３８と、該雌球止部３８を形成すると同時に前記ホール１０から前記頭部９が外れないよう保持し遊嵌連結部の片側となる保持部５と、該保持部５の雌外側先端部１９向きの面で前記球体１１に接する雌受面部２３と、該雌受面部２３や前記ホール１０などを大きく包む形で存在する膨張部２０と、釣糸を挿通する雌接続孔２２と、該雌接続孔２２に挿通した釣糸を係留する雌接続部２１と、該雌接続部２１に係留した釣糸を前記雌外側先端部１９に導く雌接続溝２８とを具備する雌具３とによって、前記ホール１０に前記頭部９を収め、前記雄受面部１３と前記雌受面部２３との間に前記球体１１が嵌る形で介在すると同時に、前記ホール１０から前記頭部９が外れないように前記保持部５で保持を行い、設定された遊び幅で遊嵌連結をしているが、雄外側先端部方向に前記雄具２が、雌外側先端部方向に前記雌具３が引かれる事により、前記雄球止部３７の円形の四分の一の形で作られた円勾配による登坂反発力によって、前記球体１１を前記雄受面部１３側に押し戻し、前記雌球止部３８の円形の四分の一の形で作られた円勾配による登坂反発力によって、前記球体１１を前記雌受面部２３側に押し戻す相乗効果で、前記球体１１が雄雌両受面部で作られた空間の中央部分に押し戻され、前記雄具２と前記雌具３が独立状態でありながらお互いの軸線を一とする効果により、回転ぶれの少ない遊嵌連結することで効率的な釣糸の撚り戻し効果を発揮する事を特徴とする構造にある。（請求項１）
【０００９】
海水の比重に近い合成樹脂を使い、左右一対で形成された釣用連結具の片側には、釣糸を挿通する雄接続孔６と、該雄接続孔６に挿通した釣糸を係留する雄接続部４と、該雄接続部４に係留した釣糸を雄外側先端部１８に導く雄接続溝１２と、該雄外側先端部１８の反対側の端部に位置し遊嵌連結部の片側となる頭部９と、該頭部９の前記雄外側先端部１８向きの面で球体に接する雄受面部１３と、該雄受面部１３から円形の四分の一の形状で球体１１の動きを規制する雄球止部３７と、該雄球止部３７と釣糸係留部分１とを繋げる首部７とを具備する雄具２と、該雄具２の前記首部７が回転できる間隔を持たせた通し孔８と、該通し孔８からホールボトム４４側とホールサイド４５側の二方向に広がり前記頭部９を包囲状で回転が行える間隔を持たせて形成されたホール１０と、該ホール１０の内壁の一部で円形の四分の一の形状で前記球体１１の動きを規制する雌球止部３８と、該雌球止部３８を形成すると同時に前記ホール１０から前記頭部９が外れないよう保持し遊嵌連結部の片側となる保持部５と、該保持部５の雌外側先端部１９向きの面で前記球体１１に接する雌受面部２３と、該雌受面部２３や前記ホール１０などを大きく包む形で存在する膨張部２０と、釣糸を挿通する雌接続孔２２と、該雌接続孔２２に挿通した釣糸を係留する雌接続部２１と、該雌接続部２１に係留した釣糸を前記雌外側先端部１９に導く雌接続溝２８とを具備する雌具３とによって、前記ホール１０に前記頭部９を収め、前記雄受面部１３と前記雌受面部２３との間に前記球体１１が嵌る形で介在すると同時に、前記ホール１０から前記頭部９が外れないように前記保持部５で保持を行い、設定された遊び幅で遊嵌連結をしているが、雄外側先端部方向に前記雄具２が、雌外側先端部方向に前記雌具３が引かれる事により、前記雄球止部３７の円形の四分の一の形で作られた円勾配による登坂反発力によって、前記球体１１を前記雄受面部１３側に押し戻し、前記雌球止部３８の円形の四分の一の形で作られた円勾配による登坂反発力によって、前記球体１１を前記雌受面部２３側に押し戻す相乗効果で、前記球体１１が雄雌両受面部で作られた空間の中央部分に押し戻され、前記雄具２と前記雌具３が独立状態でありながらお互いの軸線を一とする効果により、回転ぶれの少ない遊嵌連結することで効率的な釣糸の撚り戻し効果を発揮する事を特徴とする構造の遊嵌連結部分に、雄受面部１３と雌受面部２３と雌球止部３８並びにホールサイド４５に対する球体１１の接点を阻害しない形状のリテーナー２４を装着することで、前記球体１１同士の干渉を回避し、回転促進が行える構造にある。（請求項２）
【００１０】
雄具２の外周に雄案内溝２９を設けると共に、雄接続溝１２と雄案内溝２９を繋ぐ部分の角を取って円形の四分の一の形状とした雄フック部３１を設け、雌具３の外周に雌案内溝３０を設けると共に、雌接続溝２８と雌案内溝３０を繋ぐ部分の角を取って円形の四分の一の形状とした雌フック部３２を設けて、釣糸に巻結びを施した結縛輪４４を雄案内部２９又は雌案内溝３０に入れて雄フック部３１又は雌フック部３２まで運び、雄外側先端部１８又は雌外側先端部１９側に引き締めれば、接続孔に挿通せずとも接続部に釣糸を結縛できる構造を持つ請求項１又は請求項２に記載の構造にある。（請求項３）
【００１１】
本発明の前記全てが収納された繊細な構造でありながら、魚との引き合いに必要な強度として、雄外側先端部１８から雌外側先端部１９の方向に対して引っ張り強度が５ｋｇ以上を有することを特徴とする強度にある。
【００１２】
本発明の雄外側先端部１８から雌外側先端部１９までをラグビーボール形状で形成し、視認性の良い大きさではあるが、流線型に近い楕円と成ることで海水の抵抗を軽減させたことを特徴とする形状にある。
【００１３】
本発明の前記ラグビーボール形状で形成された雌部３の形状を加工して、潮受け部１６や第二潮受け部１７を形成することで、潮受けが良くなることを特徴とする形状にある。
【００１４】
本発明にコントロール溝１４を設けた事で、ウキ機能を発揮できる浮力調整パーツや、水中ウキ機能を発揮できる潮受け形状パーツなどが、ワンタッチで脱着できることを特徴とする形状にある。
【発明の効果】
【００１５】
本発明の釣用連結具は海水との比重差が少なく、海中に自然な状態で存在し、雄雌両接続部に結縛を行うと、雄雌両接続溝に自然と添うことで直線状となり、魚信をダイレクトにウキに伝えられるし、本発明具自体に着色する事で視認性が上がり、微妙な魚信を前当たりとして表現する効果も発揮し、潮受けが良いことで潮流に仕掛けを馴染ませて撒き餌との同調時間を延ばすし、風や波の影響を軽減する効用も含有する。最近は釣れないことにより色々なポイントを幅広く釣る事で釣果を伸ばす場合も多く、足元の磯際やサラシといった近場での釣りや、こませの匂いしか届きそうにない遠くのポイントに直接仕掛けを投入する遠投釣りや、本流への引き込み潮や潮目、本流に乗せて遠くまで探るような多彩な釣方で臨機応変な対応が求められるところからスピニングリールが重宝されているものの、ベールが回転する事で釣糸をスプールに巻き取って行き、巻き取った釣糸を放出するといった縦方向の釣糸を横方向に収納し、十分に撚りを戻せない状態で放出する作業を繰り返すことで、スピニングリールの巻き取りシステムの構造から自然発生する糸撚りは、段々と撚りが増してゆき、やがては糸がらみを起こし、仕掛けを思わぬ方向に運ぶこととなるし、縒れた状態の釣糸を引くことで、たとえば魚が針掛かりして引いたときや、磯根などに針掛かりして竿をあおるとき、魚信に対して合わせを入れたとき、流れに乗せていた釣糸を止めたとき、リールで仕掛けを巻き取るときなどには、釣糸は縒れた状態から巻き取られる側のウキ方向と、巻き取る側のリール方向の二方向に引かれる事で直線に戻される事となり、糸縒り部分の両端から開き始めて最後に折り返し部分のねじれを強制的に引き伸ばすことで大きな負担を与え、その負担を与えた部分には糸縒り癖が付き、釣糸の張りがゆるんだ状態となると糸縒り癖が付いた部分で撚れから縒れへ、縒れから糸がらみを起こすことを繰り返し、更なる強度低下となるので、その原因となる糸撚りを戻す事で釣糸本来の持つ自然で滑らかな動きに戻し、潮流に対し自然に釣糸が馴染むことで魚に違和感を与えないし、抵抗も少ないことで魚信も明確に表現ができて、釣糸の持つ引っ張り強度を損なわせない働きをする。
【発明を実施するための最良の形態】
【００１６】
以下この発明である釣用連結具の実施形態について、図面に基づいて詳細に説明を致します。
【００１７】
図１は本発明の片側で、雄接続部４と、雄接続孔６と、首部７と、頭部９と、雄接続溝１２と、雄受面部１３と、雄外側先端部１８と、雄球止部３７とを具備する雄具２のシンプル形状を現した図、図２は図１に示した本発明の反対部分を形成する片側で、保持部５と、通し孔８と、ホール１０と、雌外側先端部１９と、膨張部２０と、雌接続部２１と、雌接続孔２２と，雌受面部２３と，雌接続溝２８と、雌球止部３８と、ホールボトム４４と、ホールサイド４５とを具備する雌具３のシンプル形状を表した図、図３は頭部９の雄受面部１３と保持部５の雌受面部２３との間に球体１１を複数備えて回転における抵抗を軽減して、雄具２と雌具３とを遊嵌連結しスムーズな回転を行える左右一対と成る形状を表した図、図４は雄具２の基本形状に、雄外側先端部１８から首部７までの間にかけて肉付けを行い、上側は水平線から約１２０°の角度から約１６０°の角度まで段々と膨らむ緩やかな弧を描く曲線で形成され、下側は上側と対象のため省略とする、その外側に存在する雄楕円部１５の形状を含む雄具の全体示した図、図５は雌具の基本形状に、雌外側先端部１９から膨張部２０までの間にかけて肉付けを行い、上側は水平線から約６０°の角度から水平となる角度まで段々と膨らむ緩やかな弧を描く曲線と、膨張部２０から雌外側先端部１９と逆向きは、楕円部１５の形状を引き継ぐ線で少しずつしぼむ緩やかな弧を描く斜面で、下側は上側と対称のため省略とする、その外側の雌楕円部分３６の形状を含む雌具の全体を示した図、図６は図４と図５の形状を用いて、頭部９を雄受面部１３と雌受面部２３との間に球体１１を嵌めて回転における抵抗軽減を行いながら、保持部５によって保持され、遊嵌連結する事で左右一対となる本発明の基本形状を、ラグビーボール状の楕円形とする事で、視認性を与える大きさでありながら水中抵抗を軽減する流線型に近い形状を示した図、図７は図６で示したラグビーボール状の楕円形の縦断面図、図８は図６で示したラグビーボール状の楕円形の横断面図、図９は図６の雄楕円部１５の形状を受け継ぐ形状で雄雌両外側ジョイント部分から雌外側先端部１９までの間に肉付けを行い、段々と膨らむ緩やかな弧を描きながら広がって行く砲弾部３９を描いて雌外側先端部１９を形成し、対峙する雌外側先端部１９に向けて緩やかな弧を描きながら中途部分を雌接続溝２８まで窪ますことで潮受け部１６を形成し潮流の受けを良くした図、図１０は図９で示した砲弾部３９の形状を、尾鰭部４３とくびれ部４０を形成する事で第二潮受け部１７を作り、潮受けの効果を二段に受けられる形状を表した図、図１１は図１０の遊嵌連結部分を構成した形状を、雄具２と雌具３を入れ替えることで全体のバランスが良くなり、組み換えが有効であることと、球体１１をリテーナー２４の図２６に示す球体ホール２５に納めて雄受面部１３と雌受面部２３の間に嵌め、雌球止部３８と、リテーナー止部４９とによって軸線ぶれを抑えることを示した図、図１２は図６の形状に浮き沈み調節用具を脱着可能とする為のコントロール溝１４を設けた図、図１３は図１０の形状を元にして雄具２に雄案内溝２９と雄フック部３１を作り、雌具３に雌案内溝３０と雌フック部３２を作ることにより、雄接続孔６並びに雌接続孔２２に釣糸を挿通出来ない場合でも、巻結び等によって雄雌両接続部に釣糸の結縛を行え連結が出来る様に形成した図、図１４は図１２のコントロール溝１４にフロートパーツ２６を挿着した図、図１５は図１２のコントロール溝１４にシンクパーツ２７を挿着した図、図１６はフロートパーツ２６並びにシンクパーツ２７をコントロール溝１４に挿着するカポ４１とパーツ案内部４２を表した断面図、図１７は図１雄具の色々な部分の断面図、図１８は図４雄具の色々な部分の断面図、図１９は図４雄具の斜視図、図２０は図１３雄具の断面位置を表した図、図２１は図２０で示した図１３雄具の色々な部分の断面図、図２２は図１３雄具の斜視図と頭部９から雄外側先端部１８向けに見た透視図、図２３は図１３雄具の外観図とその横断面図を横に並べての相観比較した図、図２４は本発明のシンプル形状である図３の雄雌両接続部をクローズアップしたイメージ図で、雄具２と雄接続部４と雄接続孔６と雄接続溝１２と雄外側先端部１８との関連を表した斜視透視図並びに、雌具３と雌接続部２１と雌接続孔２２と雌接続
溝２８と雌外側先端部１９との関連を表した斜視透視図、図２５は本発明の楕円形状である図６の雄雌両接続部をクローズアップしたイメージ図で、図２４との比較で分かるようにコアとなる雄雌両接続部の形状は同一であるが雄楕円部１５や雌楕円部３６の形状によって肉厚に違いが出る事を表した斜視透視図、図２６は球体１１を納める球体ホール２５を有するリテーナー２４と球体１１の関係と形状を表した図と、球体１１を納める球体ホール２５を有する第二リテーナー５２と球体１１の関係と形状を表した図、図２７はリテーナーを使わない場合の首部７と、ホール１０と、雄球止部３７と雌球止部３８の間に嵌った球体１１の状態を表した図、図２８は雄雌両球止部の持つ円勾配における相乗効果の働きで、球体１１が雄雌両受面部の中央に押し戻される状態をイメージ的に描いた遊嵌連結部分の図、図２９は遊嵌連結部分に、雄受面部１３と雌受面部２３と雌球止部３８並びにホールサイド４５に対する球体１１の接点を阻害しない形状のリレーター２４を使用することで、球体１１同士の干渉を回避し、回転促進が行える構造を表した図、図３０は遊嵌連結部分の構成に、雄軸支部５０と、雌軸支部５１を加える事で、雄雌両外側先端部方向に対する移動幅を設定しながら、ホールサイド４５方向に対する動き幅をも球体１１の大きさに合わせ雄雌両受面部並びに雄雌両軸支部の大きさを調節すれば、前記雄雌両外側先端部方向に対する移動幅と、前記ホールサイド４５方向に対するスライド幅を調節した使用が可能であることを示した図、図３１は雄ボトム部４６と、雄ボトム球止部４７と、雌ボトム球止部４８とを加えることで遊嵌連結部分の構成を両面に使用出来ることから、雄雌両外側先端方向に対する移動幅と、ホールサイド４５方向に対する動き幅とを球体１１の大きさに合わせ雄雌両受面部並びに雄雌両軸支部の大きさを調節すれば、ホールサイド４５方向に対するスライド幅を調節した使用が可能であることを示した図、図３２は両面に雄具を装備し、前記両面の雄具間に球体１１と、第二リテーナー５２を備えることで、両側の雄具が自在に回転を行え、雌具を固定状態での使用も行えるし、ホールサイド４５方向に対するスライド幅を調節した使用が可能であることを示した図、図３３は図３２の両面雄具を更に増やした使用例で、四方の平面的な例を表しているが、立体的に考えた場合には遠近的方向の二方を加えた六方の使用も可能で、多くの係留に対して回転可能であることを示した図、図３４は巻結びの準備を行う最初の手順で、釣糸を右手に持って左手の手のひらから手のこうを捲くようにひとまわしする事で結縛輪３５を作る折り返しを行い、二本の釣糸が一つに纏まった部分を右手の指で挟んで押さえ、結縛輪４４を作った左手を一度抜いて、今度は同じ左手の人差し指と中指を結縛輪３５に入れて、二本の釣糸を押さえている右手を中心とし、その周りを結縛輪３５に入れた人差し指と中指が５回から８回円を描くように回す事で釣糸によりを作った図、図３５は前記結縛輪３５に入れた左手の人差し指と中指の間に釣糸によりを作った後の端線３４を挟み、結縛輪３５から二本の指と一緒に端線３４を抜き出す事で基本的な結縛輪３５の形状を作成した図、図３６は前記結縛輪３５に入れた左手の人差し指と中指の間に釣糸によりを作った後の端線３４を挟み、結縛輪３５から二本の指と一緒に端線３４を抜き出した後に、撚り部分と結縛輪３５との間に端線３４をもう一度通して糸抜け防止を施した図、図３７は図３６の継続で、結縛輪３５を図１３の雄案内溝２９から雄フック部３１に案内している図、図３８は図３６の状態から、本線３３と端線３４を引く事によって雄接続部に結縛が完成した図。図３９は本発明具でウキの下側を構成して、ネジ着脱構造によってウキ上側を着脱自在に使用出来る形状を表した例図。
【００１８】
本発明は雄具２と雌具３とが遊嵌連結を行い、それぞれが独立した回転を行える状態となり、釣糸の撚り戻し効果を発揮する構造を特徴とするもので、以下実施例に基づき記載を行う。
【実施例１】
【００１９】
図１〜図３、図１７、図２４、図２８に実施例１を示す。実施例１は本発明の基本形状図。
【００２０】
符号１は雄具２の雄接続部４と、雄接続孔６と、雄接続溝１２と、雄外側先端部１８とを統括した符号で、名称は釣糸係留部分である。
【００２１】
符号２は前記釣糸係留部分１と、首部７と、頭部９と、雄受面部１３と、雄球止部３７を統括した符号で、名称では雄具である。
【００２２】
符号３は保持部５と、通し孔８と、ホール１０と、雌外側先端部１９と、膨張部２０と、雌接続部２１と、雌接続孔２２と、雌受面部２３と、雌接続溝２８と、雌球止部３８と、ホールボトム４４と、ホールサイド４５を統括した符号で、名称は雌具である。
【００２３】
符号４の形状は、雄外側先端部１８から雄接続孔６までの間に位置し、前記雄外側先端部１８と前記雄接続孔６に隣接する両端が図２４に示す小さな径で、両端の中央部分が一番大きな径となる楕円形で形成されており、雄接続溝１２のＵ字状溝の深い溝部分を中心部とした場合、前記雄接続溝１２の中心部形状で形成されることで釣糸の接する面はＵ字状となり、前記楕円形状との相乗効果も働き釣糸の強度を保つ形状で、名称は雄接続部である。
【００２４】
符号５はホール１０側である内面に雌受面部２３を有することで、球体１１との接点となると同時に、雌球止部３８により前記球体１１が前期雌受面部２３の中央部分から外れないような対策も含んだ形状で、前記ホール１０に収まった頭部９の雄受面部１３と、前記雌受面部２３との間に球体１１を嵌める形で遊嵌連結をした状態をホール１０から外さないように保持する効果を持つ部分で、名称は保持部である。
【００２５】
符号６は釣糸を挿通する孔で、雄外側先端部１８に向かっての孔部が雄接続溝１２によってＵ字状の案内形状となっているし、雄接続部４の楕円形に沿った形で角となる部分がなく、釣糸の負担が少ないことを特徴とする部分で、名称は雄接続孔である。
【００２６】
符号７は円柱形で形成されており、釣糸係留部分１と頭部９を繋げる部分であると同時に、通し孔８に挿通した状態で収まる部分で、名称は首部である。
【００２７】
符号８は首部７を挿通する開口部で、該首部７との間に約０，２〜０，８ｍｍの隙間を取ることで遊びを作り、該首部７が自由に回転できる為に作られた円柱形状の孔で、名称は通し孔である。
【００２８】
符号９は雄具の雄受面部１３を含む形状で、隣設した雄球止部３７と一体化してタペットバルブの様な広がりを持ち、ホールサイド４５に約０，５〜１．０ｍｍ、ホールボトム４４に約０，５〜１．０ｍｍの間隔を開けて収まる部分で、該雄受面部１３と保持部５の雌受面部２３との間に球体１１を嵌める形で遊嵌連結を行う部分で、名称は頭部である。
【００２９】
符号１０は雌受面部２３と、雌球止部３８と、ホールボトム４４と、ホールサイド４５に面した空洞の形状で、該雌受面部２３と頭部９の雄受面部１３との間に球体１１を嵌める形で遊嵌連結を行う空洞で、名称はホールである。
【００３０】
符号１１は腐食耐久性を有する材質で、転がり抵抗の少ない球で、名称は球体である。
【００３１】
符号１２の形状は、雄外側先端部１８と、雄接続部４と、雄接続孔６とに釣糸の案内を行い、両端が浅く中央部分が深くなったＵ字状溝で釣糸を中央に導き、表裏の両面に対称で配置されることで左右のバランスを保った固定を行うと同時に、釣糸と本発明具両端とを直線状に保つ溝で、名称は雄接続溝である。
【００３２】
符号１３は頭部９の雄外側先端部１８向きに存在し、雌受面部２３と対峙して球体１１を受け止める平面な部分で、名称は雄受面部である。
【００３３】
符号１８は雄具の一番外側の部分で、名称は雄外側先端部である。
【００３４】
符号１９は雌具の一番外側の部分で、名称は雌外側先端部である。
【００３５】
符号２０は雌具のホール１０を覆った外側部分で、名称は膨張部である。
【００３６】
符号２１の形状は、雌外側先端部１９から雌接続孔２２までの間に位置し、前記雌外側先端部１９と前記雌接続孔２２に隣接する両端が図２５に示す小さな径で、両端の中央部分が一番大きな径となる楕円形で形成されており、雌接続溝２８のＵ字状溝の深い溝部分を中心部とした場合、前記雌接続溝２８の中心部形状で形成されることで釣糸の接する面はＵ字状となり、前記楕円形状との相乗効果も働き釣糸の強度を保つ形状で、名称は雌接続部である。
【００３７】
符号２２は釣糸を挿通する孔で、雌外側先端部１９に向かっての孔部が雌接続溝２８によってＵ字状の案内形状となっているし、雌接続部２１の楕円形に沿った形で角となる部分がなく、釣糸の負担が少ないことを特徴とする部分で、名称は雌接続孔である。
【００３８】
符号２３は保持部５の雌外側先端部１９向きに存在し、雄受面部１３と対峙して球体１１を受け止める平面な部分で、名称は雌受面部である。
【００３９】
符号２８の形状は、雌外側先端部１９と、雌接続部２１と、雌接続孔２２とに釣糸の案内を行い、両端が浅く中央部分が深くなったＵ字状溝で釣糸を中央に導き、表裏の両面に対称で配置されることで左右のバランスを保った固定を行うと同時に、釣糸と本発明具両端とを直線状に保つ溝で、名称は雌接続溝である。
【００４０】
符号３７は首部７の延長線と、受面部１３との延長線が存在した場合に、両部の合致地点にできる直角部分に配置された形状で、雄外側先端部１８を上と考えた場合に、遊嵌連結部分の上下、前後、左右の立体的に作られた動きに対する遊び幅を考慮し、球体１１の約１，５倍の直径で作られた円形の四分の一の形で窪んだ形状を使用することで、上死点である前期球体１１の直径半分位の位置まで登坂すると、前記球体１１は前記首部７と受面部２３にほぼ同時に到達して登坂運動は終点を迎えるが、前記球体１１が前記首部７に近づくほど登坂角度が急勾配となることで球体１１に与える反発力が強くなり、雄受面部１３側に戻す力を強く発揮するし、また対峙する雌球止部３８も同一の前記反発力により、雄雌球止部両面からの円勾配によって中央部分に戻す揺り戻し的な相乗効果が発生し、前記球体１１を前記雄受面部１３の中央に導き安定させ、遊嵌連結した雄具の軸線がぶれても元の中心部分に復元し、軸線上で安定した回転をさせる効果を発揮するし、強度的にも緩やかな円形状で形成されておりクラックが入り難く、破損のリスクが小さい形状部分で、名称は雄球止部である。
【００４１】
符号３８はホール内壁部分のホールサイド４５と、受面部２３との延長線が存在した場合に、両部の合致地点にできる直角部分に配置された形状で、雌外側先端部１９を上と考えた場合に、遊嵌連結部分の上下、前後、左右の立体的に作られた動きに対する遊び幅を考慮し、球体１１の約１，５倍の直径で作られた円形の四分の一の形で窪んだ形状を使用することで、上死点である前記球体１１の直径半分位の位置まで登坂すると、前記球体１１はホールサイド４５と受面部１３にほぼ同時に到達して登坂運動は終点を迎えるが、前記球体１１が前記ホールサイド４５に近づくほど登坂角度が急勾配となることで球体１１に与える反発力が強くなり、雌受面部２３側に戻す力を強く発揮するし、また対峙する雄
球止部３７も同一の前記反発力により、雄雌球止部両面からの円勾配によって中央部分に戻す揺り戻し的な相乗効果力が発生し、前記球体１１を前記雌受面部２３の中央に導き安定させ、遊嵌連結した雌具の軸線がぶれても元の中心部分に復元し、軸線上で安定した回転をさせる効果を発揮するし、強度的にも緩やかな円形状で形成されておりクラックが入り難く、破損のリスクが小さい形状部分で、名称は雌球止部である。
【００４２】
符号４４は頭部９がホール１０に収まる最深部で、フラット面で形成されており、名称はホールボトムである。
【００４３】
符号４５は円形の四分の一形状で形成された雌球止部３８の特性を受け継ぎ、球体１１の雌具側サイドボトムである終点部分で、名称はホールサイドである。
【実施例２】
【００４４】
図４〜図８、図１８、図１９、図２５、図２７に実施例２を示す。実施例２は本発明の基本形状を楕円形状として使用した図。
【００４５】
符号１５は雄外側先端部１８から首部７までの間かけて肉付けを行い、上側は水平線から約１２０°の角度から１６０°の角度まで段々と膨らむ緩やかな弧を描き、下側は上側と対称のため省略とするが、その楕円形の約４０％の部分的形状を示し、名称は雄楕円部である。
【００４６】
符号３６は雌外側先端部１９から膨張部２０にかけて肉付けを行い、上側は、水平線から約６０°の角度から水平となる角度まで段々と膨らむ緩やかな弧を描き、前記膨張部２０から雄外側先端部１８向きは逆に段々としぼむ緩やかな弧を描く斜面で、下側は上側と対称のため省略とするが、その楕円形の約６０％の部分的な形状を示し、名称は雌楕円部である。
【実施例３】
【００４７】
図９、に実施例３を示す。実施例３は本発明の楕円形状の雌具に潮受け部を加えた図。
【００４８】
符号１６は雌外側先端部１９からお互いに対峙する雌外側先端部１９に向けて、緩やかな弧を描きながら雌接続溝２８まで窪ますことで潮流の受けを良くしたと同時に、ウキの下側部分を受け止める状態に形成した部分で、名称は潮受け部である。
【００４９】
符号３９は雄具の段々と膨らむ緩やかな弧を描いた楕円部１５の形状の流れを雌具に引き継ぎ、膨張部２０を経て更に緩やかに砲弾状に広がり雌外側先端部１９までを形成する雄雌一体的な形状で形成した緩やかな弧を描いた斜面部分で、名称は砲弾部である。
【実施例４】
【００５０】
図１０に実施例４を示す。実施例４は本発明の楕円形状の雌具に潮受け部を二重に加えた図。
【００５１】
符号１７は図９で示した砲弾部３９の形状を窪ますことで尾鰭部４３を形成すると同時にくびれ部４０を加えることで、該くびれ部４０から膨張部２０までの間に段々と膨らむ弧を描き潮受け効果を発揮できる形状で形成された部分で、名称は第二潮受け部である。
【００５２】
符号４０は図９で示した砲弾部３９の形状に、雌外側先端部１９から膨張部２０に向けて段々とすぼまる緩やかな弧を描いた尾鰭部４３を形成し、大きく窪ませた部分で、名称はくびれ部である。
【００５３】
符号４３は図９で示した砲弾部３９の形状に、雌外側先端部１９からくびれ部４０に向けて段々とすぼまる緩やかな弧を描いた部分で、名称は尾鰭部である。
【実施例５】
【００５４】
図１１、図２６、図２９に実施例５を示す。実施例５は本発明の雄具と雌具を入れ替えることでバランスが良くなり、組み換えが有効であることと、リテーナーの使用を示した図。
【００５５】
符号２４は球体ホール２５を持つことで、球体１１同士が遊嵌連結部で互いに干渉しないように隔離すると同時に、雄受面部１３と、雌受面部２３と。雌球止部３８並びホールサイド４５に対する接点を阻害しない形状で前記球体１１の約５０％〜８０％の大きさで形成されており、該球体ホール２５は前記球体１１の直径より２〜１２％大きく、雌球止部３８側に前記球体１１が若干はみ出す溝を設けた部品で、名称はリテーナーである。
【００５６】
符号２５は球体１１を収める孔で、前記球体１１の５０％〜８０％位の厚みにより雄雌両受面部に該球体１１が露出し、雄具と雌具の回転をスムーズに行い、雌球止部３８側に前記球体１１が露出する開口部を与える事で前記雌球止部３８による円勾配によって中央に押し戻される効果が発揮できる部分で、名称は球体ホールである。
【００５７】
符号４９は首部７の延長線と、受面部１３との延長線が存在した場合に、両部の合致地点にできる直角部分に配置された部分で、雄外側先端部１８を上と考えた場合に、遊嵌連結部分の上下、前後、左右の立体的に作られた動きに対する遊び幅を考慮し、リテーナー２４の約３倍の直径で作られた円形の四分の一の形で窪んだ形状を使用しており、前期球体１１が前記リテーナー２４を前記首部７方向に押すことで前記リテーナー２４の角部分と接触し、前記３倍の円勾配によって雄受面部１３側に戻す力を発揮する部分で、対峙する雌球止部３８との両面からの円勾配によって中央部分に戻す揺り戻し的な相乗効果が発生し、前記球体１１を前記雄受面部１３の中央に導き安定させ、遊嵌連結した雄具の軸線がぶれても元の中心部分に復元し、軸線上で安定した回転をさせる効果を発揮するし、強度的にも緩やかな円形状で形成されておりクラックが入り難く、破損のリスクが小さい部分で、名称はリテーナー止部である。
【実施例６】
【００５８】
図１２、図１４〜図１６に実施例６を示す。実施例６は本発明の基本形状を楕円形状とした図６の形状に、コントロール溝を加えた図。
【００５９】
符号１４は雌楕円部３６の雌接続孔２２とホール１０との中途部分に、Ｕ字状の溝を一周入れることで、フロートパーツ２６やシンクパーツ２７といった浮力調整具に装備されたカポ４１が、前記Ｕ字状の溝に嵌ることで脱着可能な係合を行えるうえに、前記フロートパーツ２６や前記シンクパーツ２７を装着しない場合には、比較的大きな溝によって潮受け効果を生むこともできる溝で、名称はコントロール溝である。
【００６０】
符号２６は比重が０，８以下で腐食耐久性及び弾性の有る材質で作られており、図１２に示したコントロール溝１４を備えた雌具に覆い被さる形で当接し、コントロール溝１４にカポ４１が嵌ったり、力を加えて外したりすることで脱着可能な係合を行えて、頭部が海水に浮くため当りウキとしても使えるパーツで、名称はフロートパーツである。
【００６１】
符号２７は比重が１，５以上で腐食耐久性及び弾性の有る材質で作られており、図１２に示したコントロール溝１４を備えた雌具に覆い被さる形で当接し、コントロール溝１４にカポ４１が嵌ったり、力を加えて外したりすることで脱着可能な係合を行えて、頭部の面積が大きくなることで潮受け効果の役割と、視認性の良さで水中ウキの役割も兼任でき
るパーツで、名称はシンクパーツである。
【００６２】
符号４１はフロートパーツ２６やシンクパーツ２７の内面に装着した複数個の突起物で、図１２の形状に雌外側先端部１９側から前記フロートパーツ２６や前記シンクパーツ２７を押し込むことでコントロール溝１４に嵌り、前記各種パーツ類の着脱を行う突起部分で、名称はカポである。
【００６３】
符号４２は本発明の図１２形状を使用し釣りを行っている場合に、釣糸を切断すること無く、フロートパーツ２６やシンクパーツ２７を装着する為に設けた切れ込みを入れた部分で、名称はパーツ案内溝である。
【実施例７】
【００６４】
図１３、図２０〜図２３に実施例７を示す。実施例７は本発明の楕円形状を使い、接続孔に釣糸を挿通せずとも釣糸が接続部に結縛できる加工を行った図。
【００６５】
符号２９は釣糸を孔に挿通しずらい状況時にめがね結びの輪や、ループ結びのループ結縛輪、巻結びの結縛輪などを雄接続部４に案内する部分で、首部７を雄外側先端部１８に向け伸ばし楕円部１５と保持部５との間を広げた感覚で作られた開口分部で、前記雄楕円部１５から内角で約６０°の角度で雄接続孔６に向かった断面形状で首部７に当接すると、その部分は直角となりクラックが入りやすく破損の原因となるし、釣糸が潰れやすくなるので、前記首部７に当接する少し手前で頭部９側に向かい、円形の四分の一の形を窪んだ形状で前記首部７に一周回す加工を行い、接する面を増やすことで釣糸の負担が少ないＵ字形状で構成された部分で、名称は雄案内溝である。
【００６６】
符号３０は釣糸を孔に挿通しずらい状況時にめがね結びの輪や、ループ結びのループ結縛輪、巻結びの結縛輪などを雌接続部２１に案内する部分で、尾鰭部４３の形状を内角で約１１０°の角度で雌接続孔２２に向かった断面形状でくびれ部４０に当接すると、その部分は直角となりクラックが入りやすく破損の原因となるし、釣糸が潰れやすくなるので、前記くびれ部４０に当接する手前で雌外側先端部１９に向かい、円形の四分の一の形で窪んだ形状で前記くびれ部４０に一周回す加工を行い、接する面を増やすことで釣糸の負担が少ないＵ字形状で構成された部分で、名称は雌案内溝である。
【００６７】
符号３１は外観的には雄接続溝１２と雄案内溝２９を繋ぐ部分で、角をとった形状であるが、図２２の左側斜視図に示すように、雄具を左に約４５°回し、首部９から斜め約６０°の角度で観た場合雄接続溝１２と雄案内溝２９の二面が接する面に対して円形の四分の一の形で膨らんだ形状とすることで、釣糸が雄案内溝２９を経て首部７に沿い図２２の右図の雄接続溝１２に自然と収まるし、釣糸に優しい形状で、名称は雄フック部である。
【００６８】
符号３２は雌接続溝２８と雌案内溝３０の二面が接する面に対して円形の四分の一の形で膨らんだ形状とすることで、釣糸が雄案内溝３０を経てくびれ部４０に沿い雌接続溝２８に自然と収まるし、釣糸に優しい形状で、名称は雌フック部である。
【実施例８】
【００６９】
図３０〜図３２に実施例８を示す。実施例８は図３の形状を使い、遊嵌連結部分を雄雌両外側先端方向に対する動きを規制しながら、ホールサイド４５方向に対するスライド幅を調節した使用が可能であることを示した図。
【００７０】
符号４６は遊嵌連結部分を両面で使用する場合、球体１１も両面に挟めて使用する為に円形の四分の一の形で窪んだ形状を雄ボトム球止部４７で形成する場合に必要な部分で、ホールボトム４４に接しない長さで構成された部分で、名称は雄ボトム部である。
【００７１】
符号４７は雄受面部１３の反対に位置し、対峙した雌ボトム球止部４８とともに球体１１によって軸線を保とうとする円形の四分の一の形で窪んだ形状された部分で、名称は雄ボトム球止部である。
【００７２】
符号４８は雌球止部３８の反対に位置し、対峙した雄ボトム球止部４７とともに球体１１によって軸線を保とうとする円形の四分の一の形で窪んだ形状された部分で、名称は雌ボトム球止部である。
【００７３】
符号５０は頭部９雄外側先端部１８の反対側で、球体１１をホールサイド４５方向にスライド可能に設けた中央部分の窪みで、球止部での前記球体１１が移動できる距離が窪みの底の平面部分を形成した形状で、対峙する雌軸支部５１とで前記球体１１を挟む部分で、名称は雄軸支部である。
【００７４】
符号５１はホールボトム４４の面で、球体１１をホールサイド４５方向にスライド可能に設けた中央の窪み部分で、球止部での前記球体１１が移動できる距離が窪みの底の平面部分を形成した形状で、対峙する雄軸支部５０とで前記球体１１を挟む部分で、名称は雌軸支部である。
【００７５】
符号５２は両面に雄具を装備し、両面の雄具間に球体１１を係回させる為のパーツで、名称は第二リテーナー５２である。
【実施例９】
【００７６】
図１３、図３４〜図３８に実施例９を示す。実施例９は図１３の形状の接続孔を使用出来ない状態の場合でも、接続部に釣糸結縛出来る結縛方法を示した図。
【００７７】
符号３３は釣糸の長く続く糸側で、名称は本線である。
【００７８】
符号３４は結縛などを行った後に余分な糸として切断される糸で、名称は端線である。
【００７９】
符号３５は、めがね結びの輪や、ループ結びのループ結縛輪、巻結びの結縛輪などの輪で、接続部に当接して釣糸を引き締めれば結縛出来る状態の輪で、名称は結縛輪である。
【実施例１０】
【００８０】
図３３に実施例１０を示す。実施例１０は図３の形状を使い、遊嵌連結部分を四方に雄具を配置した例図。
【００８１】
本発明を作る材質についても腐食耐久性及び強度を有する物で有れば配慮しても良い事はもちろんである。
【００８２】
本発明の雄具形状や、雌具形状の長短、大小及び形状等は、使う用途に合わせて配慮しても良い事はもちろんである。
【００８３】
本発明に装着する色々なパーツの長短、大小及び形状等を着脱する突起の形状や位置及び個数等の配慮しても良い事はもちろんである。
【００８４】
本発明に使用する合成樹脂の混合物を変えて重量や柔軟性及び強度調整等の配慮しても良い事はもちろんである。
【００８５】
本発明の遊嵌連結を構成する円形の四分の一の形で窪んだ形状である球止部の、直径の
大きさや、真円の円勾配形を楕円形に形を変えたり、受面部の広さや両側に球止部を持たすなどの配慮をしても良い事はもちろんである。
【００８６】
本発明の遊嵌連結を構成する受面部は軸線に対して直角の平面で構成されているが、角度を持たすことや、弧を持たすなどの配慮をしても良い事はもちろんである。
【産業上の利用可能性】
【００８７】
本発明の形状を分割した左右一体で遊嵌連結した構造は、両端から引かれる力が加わった状態でも効率的な回転ができることで、釣具に限らず適宣使用が可能である。
【００８８】
本発明の円形の四分の一の形で窪んだ円勾配形状の大きさと、球体１１の大きさの差による相関関係によって、雄雌球止部両面が前記球体１１を中央部分に戻す相乗効果を利用して、雄雌両具が軸線上で安定した回転を行える効果は、釣具に限らず色々なところに適宣使用が可能である。
【００８９】
本発明の孔に挿通せずとも、案内溝とフック部を使うことで、ラインを結縛できる方法は、釣具に限らず色々なところに適宣使用が可能である。
【００９０】
本発明の雄雌具何れかを組み込む事で、片側単体での回転使用も可能なので、釣具に限らず色々なところに適宣使用が可能である。
【００９１】
本発明の雄具を複数使用できることで、各々が回転可能な多端連結が可能となり、釣具に限らず色々なところに適宣使用が可能である。
【００９２】
本発明の遊嵌連結部分は、雄雌両外側先端部方向の遊びを無くした場合でも、ホールサイド向きに対しては、受面部の幅を調節した幅で移動が可能で、軸線が不安定なブレを必要する使用状況下であっても、設定された受面部の幅内であれば問題なく使用可能なので、釣具に限らず色々なところに適宣使用が可能である。
【図面の簡単な説明】
【００９３】
【図１】図１は本発明の片側で雄具２のシンプル形状を現した図。
【図２】図２は本発明の片側で雌具３のシンプル形状を表した図。
【図３】図３は雄具２と雌具３とを遊嵌連結し左右一対と成るシンプル形状を表した図。
【図４】図４は雄具２の基本形状に肉付けを行い、雄具２の楕円形状全体を示した図。
【図５】図５は雌具３の基本形状に肉付けを行い、雌具３の楕円形状全体を示した図。
【図６】図６は楕円形状雄具と楕円形状雌具を遊嵌連結し左右一対と成る楕円形状を表した図。
【図７】図７は図６で示したラグビーボール状の楕円形の縦断面図。
【図８】図８は図６で示したラグビーボール状の楕円形の横断面図。
【図９】図９は図６の雄楕円部１５の形状を砲弾部３９とし、雌外側先端部分を潮受け部１６で形成し潮流の受けを良くした図。
【図１０】図１０は図９で示した砲弾部３９の形状を、尾鰭部４３とくびれ部４０を形成する事で第二潮受け部１７を作り、潮受けの効果を二段に受けられる形状を表した図。
【図１１】図１１は図１０の遊嵌連結部分を構成した形状を、雄具２と雌具３を入れ替え、リテーナー２４を加えた図。
【図１２】図１２は図６の形状にコントロール溝１４を設けた図。
【図１３】図１３は図１０の形状を元にして雄具２に雄案内溝２９と雄フック部３１を作り、雌具３に雌案内溝３０と雌フック部３２を作ることにより、雄接続孔６並びに雌接続孔２２に釣糸を挿通出来ない場合でも、巻結び等によって接続部に釣糸の結縛を行え連結が出来る様に形成した図。
【図１４】図１４は図１２のコントロール溝１４にフロートパーツ２６を挿着した図。
【図１５】図１５は図１２のコントロール溝１４にシンクパーツ２７を挿着した図。
【図１６】図１６はフロートパーツ２６並びにシンクパーツ２７をコントロール溝１４に挿着するカポ４１とパーツ案内部４２を表した断面図。
【図１７】図１７は図１雄具の色々な部分の断面図。
【図１８】図１８は図４雄具の色々な部分の断面図。
【図１９】図１９は図４雄具の斜視図。
【図２０】図２０は図１３雄具の断面位置を表した図。
【図２１】図２１は図２０で示した図１３雄具の色々な部分の断面図。
【図２２】図２２は図１３雄具の斜視図と頭部９から雄外側先端部１８向けに見た透視図。
【図２３】図２３は図１３雄具の外観図とその横断面図を横に並べての相観比較した図。
【図２４】図２４は本発明のシンプル形状の雄雌両接続部分全体を表した斜視透視図。
【図２５】図２５は本発明の楕円形状の雄雌両接続部分全体を表した斜視透視図。
【図２６】図２６球体１１と球体ホール２５とリテーナー２４との関係と、球体１１と、球体ホール２５と、第二リテーナー５２の関係と形状を表した図。
【図２７】図２７はリテーナーを使わない場合の球体１１の状態を示した図。
【図２８】図２８は雄雌両球止部で、球体１１が雄雌両受面部の中央に押し戻される状態をイメージ的に描いた図。
【図２９】図２９は遊嵌連結部分にリレーター２４を使用した図。
【図３０】図３０は遊嵌連結部分の構成に、雄軸支部５０と、雌軸支部５１を加えた図。
【図３１】図３１は図３のシンプル形状に雄ボトム部４６と、雄ボトム球止部４７と、雌ボトム球止部４８とを加えた図。
【図３２】図３２は図３のシンプル形状両面に雄具を装備した図。
【図３３】図３３は図３２の両面雄具を更に増やした使用例の図。
【図３４】図３４は結縛輪３５を作った図。
【図３５】図３５は結縛輪３５に端線３４を通した図。
【図３６】図３６は結縛輪３５に端線３４を通した後に折り返して縒り部分と前記端線３４との間に通した図。
【図３７】図３７は図３６の継続で、結縛輪３５を図１３の雄案内溝２９から雄フック部３１に案内している図。
【図３８】図３８は図３７の状態から、本線３３と端線３４を引く事によって雄接続部に結縛が完成した図。
【図３９】図３９は本発明具をウキに装備させた例図。
【符号の説明】
【００９４】
１  釣糸係留部分
２  雄具
３  雌具
４  雄接続部（雄具側で釣糸を係留する部分）
５  保持部（雄具側の頭部を係止する部分）
６  雄接続孔（雄具側で釣糸を挿通する孔）
７  首部（雌具側の通し孔に挿通し頭部に繋がった部分）
８  通し孔（雄具側の首部を挿通する孔）
９  頭部（雌具側のホールに収まり保持部によって略掛合する部分）
１０  ホール（雄具側の頭部を納める場所）
１１  球体（雄具側の受面部と雌具側の受面部の間に存在する球）
１２  雄接続溝（雄具側で釣糸を接続部に結んだ時に釣糸を直線状にたもつ溝）
１３  雄受面部（雄具側で球体と接する面）
１４  コントロール溝（フロート＆シンクパーツを固定する溝）
１５  雄楕円部（雄具側のラグビーボール形状の一部分）
１６  潮受け部（潮流を意図的に受けさせる部分）
１７  第二潮受け部（潮流を意図的に受けさせる第二の部分）
１８  雄外側先端部（雄具側の一番外に位置する部分）
１９  雌外側先端部（雌具側の一番外に位置する部分）
２０  膨張部（胴体部分で一番径が大きな部分）
２１  雌接続部（雌具側で釣糸を係留する部分）
２２  雌接続孔（雌具側で釣糸を挿通する孔）
２３  雌受面部（雌具側で球体と接する面）
２４  リテーナー（球体ホールを形成するプレート部品）
２５  球体ホール（球体を納める孔）
２６  フロートパーツ（比重を下げて浮かせる部品）
２７  シンクパーツ（比重を上げて沈ませる部品）
２８  雌接続溝（雌具側で釣糸を接続部に結んだ時に釣糸を直線状にたもつ溝）
２９  雄案内溝（雄具側で結縛輪をフック部まで通す溝）
３０  雌案内溝（雌具側で結縛輪をフック部まで通す溝）
３１  雄フック部（雄具側で結縛輪を引っかける部分）
３２  雌フック部（雌具側で結縛輪を引っかける部分）
３３  本線（長く続く釣糸）
３４  端線（末端側の釣糸）
３５  結縛輪（結縛部分に係留する為の輪）
３６  雌楕円部（雌具のラグビーボール形状の一部分）
３７  雄球止部（雄具側で球体の歯止めを円形の四分の一の形状で作った名称）
３８  雌球止部（雌具側で球体の歯止めを円形の四分の一の形状で作った名称）
３９  砲弾部（砲弾の薬きょうの様な形状部分）
４０  くびれ部（膨張部と雌外側先端部の中途部分で意図的に窪ませた部分）
４１  カポ（コントロール溝に嵌る突起物）
４２  パーツ案内部（パーツを釣糸の切断を必要とせずに通すカット部分）
４３  尾鰭部（雌外側先端部とくびれ部の間に存在する形状）
４４  ホールボトム（ホールの雌外側先端部側の面）
４５  ホールサイド（ホールの膨張部側の面）
４６  雄ボトム部（ホールに収まった雄具の端部）
４７  雄ボトム球止部（ホールに収まった雄具で雄受面部の反対部分）
４８  雌ボトム球止部（ホールの雌球止部の反対部分）
４９  リテーナー止部（リテーナーを使った場合の雄具球止部に当たる部分）
５０  雄軸支部（頭部の雌外側先端部向きの面で、球体を嵌める中央の窪み部分）
５１  雌軸支部（ホールボトムに設けた球体を嵌める中央の窪み部分）
５２  第二リテーナー（雄具を両面使用する場合に必要なプレート）
【要約】      （修正有） 【課題】魚に違和感のない小型で、魚信を表現できる視認性に優れ、海水に漂うように同調し、道糸とハリスの連結部分で折れ曲がらず一本の線状に保てて、釣糸の結縛強度を損なわず、仕掛けが撒き餌から外れない潮受け効果を有し、釣糸に縒りを作り強度を低下させる撚りを戻す効果を得られる構造を課題とする。【解決手段】海水とほぼ同じ比重である合成樹脂の素材に、視認性の良い色素を攪拌し形成する事で視認性に優れ、接続部に結縛をする道糸とハリスが自然と溝に沿う事で直線での連結が行える接続溝を設け、強度がある合成樹脂により全長１５ｍｍと小型ゆえに釣糸の自然な動きを妨げず、強度を損なわないように接続部に楕円形状を使用して、潮流に対する潮受けも考慮することで仕掛けと巻き餌の同調時間を長く保ち、糸撚りから発生する様々な問題を、雄具と雌具に球体を介在し遊嵌連結する事で効率的な撚り戻し効果を発揮する構造を特徴とする釣用連結具。【選択図】図６【図１】
0004137171.tif 000002
【図２】
0004137171.tif 000003
【図３】
0004137171.tif 000004
【図４】
0004137171.tif 000005
【図５】
0004137171.tif 000006
【図６】
0004137171.tif 000007
【図７】
0004137171.tif 000008
【図８】
0004137171.tif 000009
【図９】
0004137171.tif 000010
【図１０】
0004137171.tif 000011
【図１１】
0004137171.tif 000012
【図１２】
0004137171.tif 000013
【図１３】
0004137171.tif 000014
【図１４】
0004137171.tif 000015
【図１５】
0004137171.tif 000016
【図１６】
0004137171.tif 000017
【図１７】
0004137171.tif 000018
【図１８】
0004137171.tif 000019
【図１９】
0004137171.tif 000020
【図２０】
0004137171.tif 000021
【図２１】
0004137171.tif 000022
【図２２】
0004137171.tif 000023
【図２３】
0004137171.tif 000024
【図２４】
0004137171.tif 000025
【図２５】
0004137171.tif 000026
【図２６】
0004137171.tif 000027
【図２７】
0004137171.tif 000028
【図２８】
0004137171.tif 000029
【図２９】
0004137171.tif 000030
【図３０】
0004137171.tif 000031
【図３１】
0004137171.tif 000032
【図３２】
0004137171.tif 000033
【図３３】
0004137171.tif 000034
【図３４】
0004137171.tif 000035
【図３５】
0004137171.tif 000036
【図３６】
0004137171.tif 000037
【図３７】
0004137171.tif 000038
【図３８】
0004137171.tif 000039
【図３９】
0004137171.tif 000040